(57)【要約】　　　（修正有）【課題】造影ＭＲＡ撮像において血管、血流の輝度の向上のために造影剤を使用する。このための造影剤のボーラスの到達タイミングを的確に行う手段を提供する。【解決手段】造影ＭＲＡを生成するために、患者に輝度向上のための造影剤が注入される。ｋ空間と第１の周囲領域の楕円形の中央部が連続的にサンプルされる。各中央データセット部分が、低解像度量と線上に投影される最大強度とに再構築される。最大強度投影は、関心量内の輝度向上のためのボーラスの到達を検出するために処理される。ボーラスの到達を検出した後、高解像度磁気共鳴血管造影の取得がトリガーされ、ｋ空間のより高度の位相エンコード部分がサンプルされる。より高度の位相エンコードビューに沿った中央データセットが高解像度の磁気共鳴血管造影に再構築される。この技術は、輝度向上のための造影剤ボーラスの検出と磁気共鳴血管造影の取得との間の略ゼロのレーテンシーを許容する。【選択図】　図２
2004049647.tif 000002
【特許請求の範囲】
【請求項１】
磁気共鳴血液造影（ＭＲＡ）の方法であって、
（ａ）関心量から上流側に、磁気共鳴造影剤のボーラスをもつ対象物を注入し、
（ｂ）関心量の磁気共鳴を励起させ、
（ｃ）磁気共鳴信号を生成する磁気共鳴エコーを誘起し、
（ｄ）ｋ空間の中央部を連続的にサンプルし、複数の中央データセットを作成し、
（ｅ）関心量内の造影剤のボーラスの前縁の到達を検出し、
（ｆ）ボーラスの前縁の到達を検出した後、ｋ空間の中央部の周囲のｋ空間の部分をサンプルして、周辺のデータセットを生成し、
（ｇ）（ｉ）ボーラスの検出前に収集された最後の中央データセットと、（ｉｉ）ボーラスの検出後に収集された周辺のデータとから、磁気共鳴血管造影を再構築することを特徴とする方法。
【請求項２】
ボーラスの到達が検出されない中央のデータセットを廃棄することを特徴とする請求項１に記載の方法。
【請求項３】
各中央のデータセットの部分から信号強度をモニターすることを特徴とする請求項１または２に記載の方法。
【請求項４】
画像の低解像度最大強度投影に設定される各中央データの部分を再構築することを特徴とする請求項１及至３のいずれかに記載の方法。
【請求項５】
ボーラスの前縁の到達を検出した後、ｋ空間の中央部を連続的にサンプリングし、複数の中央データセットを生成し、
中央データセットの間に周囲のデータセットを挟み、
間に挟まれた中央及び周囲のデータを、磁気共鳴血液造影全体の低解像度映像に再構築することを特徴とする請求項１及至４のいずれかに記載の方法。
【請求項６】
ｋ空間のサンプルされた中央部分と周辺部分は、断面形状が楕円形であることを特徴とする請求項１及至５のいずれかに記載の方法。
【請求項７】
前記ステップ（ｄ）及び（ｆ）は、マルチエコーシーケンスを利用して実行されることを特徴とする請求項１及至６のいずれかに記載の方法。
【請求項８】
中央部及び周辺部の外側のｋ空間のサンプルされていない部分はゼロで満たされることを特徴とする請求項１及至７のいずれかに記載の方法。
【請求項９】
ステップ（ｆ）は、所定の期間の平坦域により後続されるボーラスの立ち上がりエッジの検出の後に生じることを特徴とする請求項１及至８のいずれかに記載の方法。
【請求項１０】
関心量の予備的な磁気共鳴画像を取得し、
ボーラスが中に入る関心量内の血管内のトリガーポイントを選択することを特徴とする請求項１及至９のいずれかに記載の方法。
【請求項１１】
各中央データセットの部分から最大強度投影を生成し、
生成された最大強度投影を所定の投影しきい値と比較し、
比較ステップに応答して、（ｉ）ｋ空間のコード部より高度のフェーズのサンプリングを開始させ、（ｉｉ）現在の中央データセットを廃棄してステップ（ｄ）を繰り返すことを特徴とする請求項１及至１０のいずれかに記載の方法。
【請求項１２】
磁気共鳴の輝度向上のための造影剤が注入される対象物の画像を取得する磁気共鳴血管造影（ＭＲＡ）システムであって、
関心量を介して、一定の磁気フィールドを一時的に生成するマグネットと、関心量内の磁気双極子を励起して反転させて磁気共鳴エコーの列を生成する無線周波数送信機と、関心量と直交する方向の位相と読み出し磁気フィールド勾配パルスとを少なくとも生成する勾配磁気フィールドコントローラと、磁気共鳴エコーを受信して復調して一連のｋスペースビューを生成する受信機と、を備え、さらに、
中央でエンコードされたｋスペースビューを格納する中央データメモリ手段と、
中央の位相エンコードビューの周囲のより高度の位相エンコードビューを格納する周辺データメモリ手段と、
輝度向上のための造影剤のボーラスの前縁の到達を検出するボーラス検出手段と、
（ｉ）中央でエンコードされたｋスペースビューと、（ｉｉ）より高度の位相エンコードビューとの少なくとも一部を磁気共鳴血管造影画像に再構築する再構築プロセッサと、を備えることを特徴とするＭＲＡシステム。
【請求項１３】
中央でエンコードされたｋ空間ビューの少なくとも一部を処理して、ボーラスが関心量に線上に入る関心量の一部の最大強度投影を行う最大強度投影手段と、投影からの輝度向上のための造影剤の到達を検出するエッジ検出手段と、を備えることを特徴とする請求項１２に記載のＭＲＡシステム。
【請求項１４】
再構築される周辺ビューは、輝度向上のための造影剤ボーラスの到達を検出した後、取得されることを特徴とする請求項１３に記載のＭＲＡシステム。
【請求項１５】
関心量内の三次元磁気共鳴血管造影を取得する方法であって、
（ａ）三次元磁気共鳴データ取得用の関心量内のトリガーポイントを決定し、（ｂ）血管の磁気共鳴画像が向上するように、患者の循環器システムに磁気共鳴造影剤を投与し、
（ｃ）取得された磁気共鳴データからトリガーポイントで、関心量からの磁気共鳴データを取得して、造影剤のボーラスの前縁の到達を検出し、
（ｄ）トリガーポイントでボーラスの到達を検出した後、一連の三次元磁気共鳴取得を行い、
（ｅ）ステップ（ｃ），（ｄ）の間に取得されたデータを再構築して、三次元磁気共鳴血管造影を得ることを特徴とする方法。
【発明の詳細な説明】
【０００１】
【従来の技術】
本発明は、磁気共鳴技術に関する。輝度向上のための磁気共鳴血管造影に関して特定の用途を見い出し、その用途に特に関係するものが述べられる。しかしながら、本発明は、他の磁気共鳴用途におけるボーラス検出に関する用途をも見い出す。
【０００２】
生体内の血液の流れの測定は、循環器システムの機能評価のために重要である。血管造影は、この種の機能評価のための標準的な技術になった。磁気共鳴血管造影（ＭＲＡ）は、体内の詳細な血管造影画像を非侵入で提供する。造影剤を使用しない従来のＭＲＡでは、血液を流れる磁気共鳴信号は、静止した血液や組織からの信号を抑制しながら最適化される。輝度を向上させるＭＲＡにおいて、Ｔ１短縮造影剤は、流れる血液と静止した組織との間での輝度を得るために血液の中に注入される。ショートＴＲ、ショートＴＥエコーシーケンスを用いてデータが収集されると、血液は明るくなり、静止した組織は暗くなる。
【０００３】
現在の輝度向上のための３Ｄ　ＭＲＡ技術は、ｋ空間の中心が動脈内の造影剤のピーク濃度の間に来る場合、動脈の優れた画像を提供する。しかしながら、高品質の画像を取得するには、画像取得の開始に対して、造影剤の注入を的確なタイミングで行う必要がある。ｋ空間の中心の取得が早すぎると、動脈中の最大信号が得られない。逆に、ｋ空間の中心の取得が遅すぎると、静脈が強調されすぎて、動脈がかすんでしまう。このため、ボーラスの到達を信頼性よく決定することが重要である。
【０００４】
ある従来の技術では、少量の造影剤が注入され、短期間の二次元の取得が関心のある領域またはその近傍で繰り返され、造影剤のボーラスの到達を検知する。この取得から、注入位置から関心のある領域までの過渡時間が決定される。後述する血管造影は、十分な量の造影剤を注入してから所定の時間後に開始される。この技術は、ボーラスの移動時間が種々の患者の因子に依存して、理想の時間以下になるので、信頼性が低い。ボーラスの到達の不正確な時間は、不要な血管造影を生成する。
【０００５】
他の従来の技術は、関心領域の短時間の二次元始動取得の流れと関心領域での三次元の飛行時間取得を設定する。造影剤が注入され、ボーラスが検出するまでトリガーのスキャンが繰り返される。ボーラスの検出後、三次元血管造影は、ｋ空間の中心から外側にエンコードする楕円形の中心面で開始される。この技術は、患者の動きにより引き起こされる偽陽性の危険を起こす。偽陽性は二頂のプリサット（ｂｉｍｏｄａｌ　ｐｒｅｓａｔｓ）を入力することにより減らすことができるが、このような二頂のプリサットの入力は、サンプリング時間を増大させ、ボーラスの検出と血管造影の取得との間の付加的なレーテンシーを生成する。
【０００６】
他の従来の技術は、ビュー・シェアリングを利用したシネループを生成するために、三次元血管造影を利用し、これにより、ボーラスの到達を検出する必要性をなくす。しかしながら、この手法は、受け入れがたい画像を避けて、ボーラスが取得の主要部であるようにするために、シネループ内の各フレームの総取得時間を短くする必要がある。最終的には、総取得時間の短縮により、画像の解像度が限定される。
【０００７】
このため、ボーラスの検出と高解像度の磁気共鳴血管造影の取得との間にゼロレーテンシーをもつ輝度向上のための磁気共鳴血管造影が必要である。本発明は、上述の問題などを解決する、新規の改良された輝度向上のためのＭＲＡ手法を想定している。
【０００８】
【課題を解決するための手段】
本発明の一面によれば、磁気共鳴血管造影（ＭＲＡ）の手法は、関心のある量から上流側に磁気共鳴造影のボーラスをもつ対象物を注入する。磁気共鳴は、関心量の中にあり、磁気共鳴信号を生成する磁気共鳴エコーが誘起される。ｋ空間の中心部分は、連続的にサンプルされ、複数の中心データを生成する。関心量内の造影剤のボーラスの前縁の到達が検出される。ボーラスの前縁の到達を検出した後、中心部分の周囲のｋ空間の部分がサンプルされ、周囲のデータセットを生成する。磁気共鳴血管造影は、（ｉ）ボーラスの検出前に収集された最後の中央データセットと、（ｉｉ）ボーラスの検出後に収集される周辺のデータセットとから再構築される。
【０００９】
本発明の他の局面では、関心量内の三次元ＭＲＡを取得する方法は、三次元磁気共鳴データ取得用の関心量内のトリガーポイントを決定する。血管内の磁気共鳴造影剤は、患者の循環器システムに投与される。この結果、血管の磁気共鳴画像の品質をよくする。磁気共鳴データは、関心量から取得され、トリガーポイントでの造影剤のボーラスの前縁の到達は、取得された磁気共鳴データから検出される。トリガーポイントでのボーラスの到達を検出した後、一連の三次元磁気共鳴取得が行われる。取得された磁気共鳴データは、三次元磁気共鳴血管造影に再構築される。
【００１０】
本発明の他の局面では、関心量内の磁気共鳴の輝度向上のための造影剤のボーラスの到達を検出する方法では、ｋ空間の中央がエンコードされた部分を連続的にサンプリングし、複数の中央データセットを生成する。最大強度投影は、各中央データセットの部分から生成される。生成される最大強度投影は、所定の投影しきい値に比較される。比較ステップに応答して、ｋ空間のより高い位相エンコード部分のサンプリングか現在の中央データセットが廃棄され、上記のステップが繰り返される。
【００１１】
本発明の他の局面では、磁気共鳴の輝度向上のための造影剤が注入される対象物の画像を得る磁気共鳴血管造影システム（ＭＲＡ）は、関心量を通して、一時的に一定の磁気フィールドを生成するマグネットを有する。無線周波数送信機は励起され、関心量内の磁気双極子を反転し、磁気共鳴エコーの列を生成する。勾配磁気フィールド・コイルと勾配磁気フィールドコントローラとは、位相と読出し磁気フィールド勾配パルスとを少なくとも生成する。受信機は、磁気共鳴エコーを受信して復調し、一連のｋ空間ビューを生成する。このシステムは、中央でエンコードされたｋ空間ビューを格納する中央メモリ部と、中央メモリ部の周囲のより高度な位相エンコードビューを格納する周辺データメモリ部とを有する。ボーラス検出プロセッサは、輝度向上のための造影剤のボーラスの前縁の到達を検出する。再構築プロセッサは、中央でエンコードされたｋ空間ビューの少なくとも一部とより高度の位相エンコードビューとを再構築する。
【００１２】
本発明のより限定された位相では、ボーラスの検出プロセッサは、中央でエンコードされたｋ空間ビューの少なくとも一部を処理して、ボーラスが線上に関心量に入る関心量の一部の最大強度投影を得る最大強度投影プロセッサを有する。さらに、エッジ検出器は、輝度向上のための造影剤ボーラスの到達をその投影から検出する。
【００１３】
本発明の一つの効果は、ボーラスの検出と血液造影の取得との間のゼロ・レーテンシーにある。
【００１４】
本発明の他の効果は、ボーラスの到達決定の信頼性を向上することにある。
【００１５】
本発明の他の効果は、患者の動きの削減にある。
【００１６】
本発明の他の効果は、中央位相エンコードビュー取得のより正確な制御にある。
【００１７】
本発明の他の効果は、高解像度ビューをもつトリガリング・ビューを交互に配置することにある。
【００１８】
本発明の他の利益や効果は、本実施形態を読んで理解する当業者には明らかである。
【００１９】
【発明の実施の形態】
本発明は、種々の部品と部品の組合せ、種々のステップとステップの組合せにより構成される。図面は、本実施形態を図示する目的のみで利用され、本発明を限定するものではない。
【００２０】
図１Ａ及び図１Ｂに示すように、磁気共鳴画像システム１０は、超伝導または抵抗性マグネット１４を制御するメイン磁気フィールドコントロール１２を有する。この結果、略均一で、一時的に一定の磁気フィールドが試験または画像領域１６を介して、ｚ軸に沿って生成される。磁気共鳴エコー手段は、一連の無線周波数（ＲＦ）と磁気フィールド勾配パルスを入力して、磁気スピンを反転または励磁し、磁気共鳴を誘起し、磁気共鳴を再フォーカスし、磁気共鳴を操作し、空間的に磁気共鳴をエンコードし、スピンを飽和させる。これにより、磁気共鳴画像分光シーケンスを生成する。
【００２１】
より具体的には、勾配パルス増幅器２０は、選択された一つまたはペアの全身勾配コイルに直流パルスを入力し、試験領域のｘ，ｙ，ｚ軸に沿って磁気フィールドの勾配を生成する。すなわち、勾配フィールドコイルのうちの適切なものに直流パルスを選択的に入力することにより、スライス選択、位相エンコード、および読出し勾配は、相互に直交する軸に沿って選択的に入力される。二次元の画像において、スライス選択勾配は、画像スライスまたは領域と位相エンコードとを定義し、読出し勾配はスライス内の相互に直交する軸に沿って磁気共鳴をエンコードする。三次元画像では、一対の位相エンコード勾配が読み出し方向に直交する平面内のステップに入力される。デジタル無線周波数送信機２４は、無線周波数パルスまたはパルスパケットを全身ＲＦコイル２６に送信し、ＲＦパルスを試験領域に送信する。ＲＦパルスは、スピンを飽和させ、共鳴を励起し、磁化を反転させ、共鳴を再フォーカスし、または試験領域内の選択領域内の共鳴を操作する。共鳴信号は、全身ＲＦコイル２６により取得される。
【００２２】
対象物の限定された領域の画像を生成するために、局部的なコイルは選択領域に隣接して配置される。例えば、挿入可能なヘッドコイル３０は、穴のアイソセンタの選択された中枢領域を取り囲んで挿入される。挿入可能なヘッドコイル３０は、勾配増幅器２０からの直流パルスを受け取り、ヘッドコイル３０内の試験領域内のｘ，ｙ，ｚ軸に沿って磁気フィールド勾配を生成する局部勾配コイル３２を有する。局部的な無線周波数コイル３４は、磁気共鳴を励起するために用いられ、患者の頭から放射する磁気共鳴信号を受信する。一実施形態では、局部的コイルは、表面または複数のループアレイである。あるいは、受信専用の局部無線周波数コイルは、ボディコイルＲＦ送信により誘起される共振信号を受信するために用いられうる。ＲＦスクリーン３６は、勾配コイルと周囲の構造内の渦巻き電流を誘起しないようにＲＦヘッドコイルからのＲＦ信号を遮断する。全身ＲＦコイル２６、局部ＲＦコイル３４または他の特化したＲＦコイルにより取得される合成された無線周波数信号は、受信機３８により復調される。
【００２３】
一連の制御プロセッサやスキャンコントローラ４０は、勾配パルス増幅器２０と送信機２４を制御し、エコー平面の画像、エコーボリュームの画像、勾配およびスピンエコー画像、高速スピンエコー画像などを生成する。選択されたシーケンスで、受信機３８は、各ＲＦ励起パルスに後続して高速連続的に複数のデータ線を受信する。好ましくは、受信機３８はデジタル受信機か、図１Ａに示すように、各データ線をデジタルフォーマットに変換するアナログ・デジタル変換器４２により伴われる。
【００２４】
下記に説明するように、デジタルデータ線は、特定の位相エンコーディングに基づいて、中央のデータ線と周囲のデータ線との間で、ソーター４４により分類される。キャッシュ磁気共鳴信号またはエコーが収集され、および／または受信機３８とアナログ／デジタルコンバータ４２によりサンプルされるとき、未加工の磁気共鳴データは、取得されたデータメモリ５０か、ｋ空間として知られるメモリマトリックスにロードされる。すなわち、磁気共鳴データの取得は、三次元ｋ空間のサンプリングと考えられる。二次元ｋｙとｋｚは、スキャンの各パルスシーケンスの間に、異なる位相エンコーディング勾配ＣｙとＣｚを与えることによりサンプルされる。取得された磁気共鳴信号のそれぞれは、ｋｘ方向における複数サンプルを含む。パルスシーケンスは、所望のｋｙとｋｚ値すべてをサンプルする必要がある限り繰り返される。
【００２５】
磁気共鳴血液造影（ＭＲＡ）の用途において、磁気共鳴輝度向上のための造影剤のボーラスは、従来の手段４８を使用して対象物に注入される。下記に完全に記述されるように、磁気共鳴画像システムは、ＭＲＡ用に用いられる。この種の用途では、ＭＲＡ手法は、第１の検出と、輝度を向上させるボーラスの前縁が検出される間のトリガリング位相とを有する。ボーラスの検出の後、高解像度の三次元血管造影がボーラスの検出と血液造影の取得との間の略ゼロのレーテンシーで取得される。
【００２６】
図２に示すように、ＭＲＡ手法は、対象物２１０の血管に、磁気共鳴の輝度向上のための造影剤を注入または投与することを含む。選択的に、関心量のプリスキャン２００が造影剤の注入前に行われる。ある実施形態では、プリスキャンは、三次元の飛行時間（ＴＯＦ）の磁気共鳴血液造影の設定と、あるフレームの取得とを含む。あるフレームのプリスキャンから、ボーラスが関心量に入る血液の位置が選択される２０５。好ましくは、この基準ポイントは、マルチ平面の再フォーマットを用いて選択される。
【００２７】
造影剤の注入の後、ＴＯＦ血液造影の追加のフレームが生成される。より具体的には、選択された関心量のためのｋ空間のある部分は、複数のエコー磁気共鳴シーケンスを利用して連続的にサンプルされる。ある実施形態では、２つのエコーシーケンスが用いられ、一方、他の実施形態では４つのエコーシーケンスが用いられる。他の複数のエコーシーケンスを用いることができることは評価されうる。ある実施形態では、ステップ２２０は、交互に繰り返してｋ空間の中心の楕円の取得を含む。交互に行う手法は、輝度向上のためのボーラスが関心量に入る血管の構造により決定される。例えば、ボーラスがｚ方向に平行に動脈を通過する場合、所望のすべてのビューが取得されるまで、一組のビューＶ０＝｛（ｋｙ，ｋｚ）：ｋｙ　ｉｎ．．．，０，ｎ，２ｎ，３ｎ．．．｝が取得され、その後、Ｖ１＝｛（ｋｙ，ｋｚ）：ｋｙ　ｉｎ．．．，１，ｎ＋１，２ｎ＋１，３ｎ＋１，．．．｝が続く。ある実施形態では、ビューの全組は、低解像度での関心量のフレームを再構築するために用いられ、各フレームはシネループで表示される。
【００２８】
他の実施形態では、中心のデータ部分は、削減されたビューのフィールドをもつ低解像度のボリュームに再構築される２３０。結果としての低解像度の量は、ｚ軸に沿って、ボーラスが入り込む血液に平行な部分をもつ線上に投影される最大強度２４０である。ｘまたはｙ方向に沿う最大強度投影は、ボーラスの進行を監視するために生成されうることを評価すべきである。最大強度投影２４０から時系列の分析が行われ、ボーラスの立ち上がりエッジを検出するために、一連の投影値２５０を生成する。ボーラスが到達する前に、同じ領域が繰り返し試験され、各投影は以前の投影と実質的に同一であることが期待されうる。ボーラスが血液に入るとき、投影の強度は造影剤の最大濃度でより高いピーク値まで上がる。投影値２５０は、関心量内のボーラスの到達を検出するために、所定の投影しきい値と比較される。好ましくは、平坦域が後に続くボーラスの立ち上がりエッジは、高解像度の磁気共鳴血液造影図の取得をトリガーする２６０。すなわち、取得された中央がエンコードされたビューがボーラスの到達を示す場合、中央のビューを取り囲むｋ空間の周辺部分が取得される２７０。ボーラスの到達が検出されない場合、中央のビューの最後に取得された組が廃棄され、ステップ２２０からの手法が続く。
【００２９】
輝度向上のためのボーラスを検出すると、より高度の位相エンコードビューは、ｋ空間を満たすために、複数のエコーシーケンスを利用して取得される２７０。選択的に、取得したより高度の位相エンコードビューへの切替は、ボーラスの検出後に直ちに行われる。他の実施形態では、ビューの数に応じて、所定の遅延の後に切替が行われる。選択的な遅延により、ステップ２７０の最初のビューの前に、造影剤の完全な集中の到達が保証されることを当業者は評価するであろう。好ましくは、より高度の位相エンコードビューは、以前に取得された中央がエンコードされた楕円状のシリンダービューである。より高度の位相エンコードビューの取得の後、磁気共鳴血管造影は、（１）対象物の位相の間に取得される中央のビュー（ステップ２２０）と、（２）ボーラスの到達の後に取得されるより高度の位相エンコードビューから再構築される。
【００３０】
図３及び図４は、ＭＲＡ処理の間に取得された、好ましいビューを図示する位相エンコードｋ空間平面の図である。図３はＭＲＡ処理のトリガリング位相の間に収集される中央がエンコードされたビューを示す。より具体的には、中央がエンコードされたデータ３００は、２つのエコーシーケンスを用いて収集され、第１のエコーはｋ空間平面の中心にエンコードされ、第２のエコーは第１のエコー３００の周囲の環状または管状領域３１０でエンコードされる。ｋ空間の残りの部分３２０がサンプルされないことが評価されるべきである。図３に示したように、中央がエンコードされたビューは、断面図の形状が楕円である。しかしながら、球状や円錐状のような他の幾何学形状も想定されることは評価されるべきである。
【００３１】
ボーラスの到達が検出されると、図４に示す位相エンコードビューが２つのエコーシーケンスを用いて取得される。特に、シーケンスの第１のエコーは、トリガリング・フェーズの間に収集された中央がエンコードされた第１のエコーからのデータを含む円筒型領域３００の周囲のｋ空間の環状の領域３１０にエンコードされる。さらに、シーケンスの第２のエコーは、第１のエコー周辺領域３１０の周囲のｋ空間の他の環状または管状の領域４２０にエンコードされる。すなわち、トリガリング・フェーズ（図３）の第２のエコーから取得された中央のビューは、後続の高解像度のフェーズ（図４）の第１のエコーから再取得される。ｋ空間の残りの部分４３０はサンプルされないことは評価されるべきである。ある実施形態では、これらのサンプルされないｋ空間は、ゼロで満たされる。好ましくは、第２のフェーズの取得されたビューはまた、楕円状のシリンダーである。しかしながら、他の幾何学構造が想定される。
【００３２】
図５は、毛細血管の勾配が利用される複数エコー勾配エコー読出しの一例を示す。この実施形態では、位相エンコード勾配は、読出し勾配で重複され、後のエコーは、ｋ空間の楕円をカバーするために、位相エンコーディング「ｂｌｉｐｓ」のために必要な時間がなく、外側のセグメントのために必要な読出しポイントがない事実を説明するためにスケールされる時間である。図６はｋ空間を介した所望のスキャン軌跡を示す。
【００３３】
再び図１Ｂを参照すると、ソーター４４は、トリガリング・フェーズの間に取得された中央がエンコードされたビューを、中央のデータメモリ部５２に分類する。輝度向上のためのボーラスが検出され、より高度の位相エンコードビューが収集され、この種のビューは分類されて周辺データメモリ部５４に格納される。領域３００，３１０内の中央部のビューを取得した後、中央部のデータセットは、輝度向上のためのボーラスの到達を検出するために、ボーラス検出プロセッサ６０に送信される。中央のビューの部分は、再構築プロセッサ６２により、低解像度で再構築され２３０、ビュー・フィールドの量が減らされる。この量は、投影プロセッサ６４により線上に投影される最大強度（ＭＴＰ）２４０である。エッジ検出器６６は、ボーラスの到達を示す平坦領域が後に続く立ち上がりエッジ２５０を検出するために、時系列分析を用いる。ある実施形態では、ＭＴＰからの投影値は、ボーラスの前縁の到達を検出するために、投影しきい値と比較される。
【００３４】
ボーラスが検出されると、エッジ検出器６６は、複数のより高度の位相エンコードビュー２７０を取得するために、シーケンス制御プロセッサをトリガーするためにトリガー７０に信号を送る。上述したように、トリガー・フェーズからの中央部のビューの最後の組は、ボーラス検出の後に、三次元磁気共鳴血管造影へのより高度な位相エンコードビューに沿って再構築プロセッサ８０により再構築され２９０、ＭＲＡメモリ８２に格納される。画像は、血管、平面スライスの配列、三次元量などに代表される。ＭＲＡの結果は、表示装置やモニタ８６や他の人間が視認可能な表示装置により処理される。
【図面の簡単な説明】
【図１Ａ】本発明による磁気共鳴血管造影（ＭＲＡ）の図。
【図１Ｂ】本発明による磁気共鳴血管造影（ＭＲＡ）の図。
【図２】本発明によるＭＲＡ手法の一実施形態を示すフローチャート。
【図３】本発明によるトリガリング・フェーズの間に取得されたｋ空間ビューを示す二次元位相エンコードｋ空間平面を示す図。
【図４】本発明による高解像度フェーズの間に取得された周辺ｋ空間ビューを示す二次元位相エンコードｋ空間平面を示す図。
【図５】本発明により利用される説明のための勾配パルスシーケンスを示す図。
【図６】本発明により利用されるｋ空間軌道を示す図。
【図１Ａ】
2004049647.tif 000003
【図１Ｂ】
2004049647.tif 000004
【図２】
2004049647.tif 000005
【図３】
2004049647.tif 000006
【図４】
2004049647.tif 000007
【図５】
2004049647.tif 000008
【図６】
2004049647.tif 000009